(57)【要約】本発明は、口金付高圧放電ランプ（１）及びランプホルダ（５０）の組立体に関するものである。口金付高圧放電ランプ（１）は外側エンベロープ（１０）を有し、このエンベロープ（１０）内には放電容器（１１）が配置されている。この外側エンベロープは、クランプ部材（２５）を設けたピンチ部（２０）を有する。ランプ口金は、このクランプ部材を収容するほぼ円筒状のカップ状部分を有し、突出カラー（３６）が設けられている。ランプホルダ（５０）は、カップ状部分を収容するほぼ円筒状のフランジ（５５）を有し、それによりこのフランジが突出カラーと係合するようになっている。このフランジ（５５）の内径は−０．２ｍｍ以下の公差を有する。カップ状部分（３３）の外径は＋０．２ｍｍ以下の公差を有する。これら公差のそれぞれは、突出カラーに対して測定した場合に少なくとも２．５ｍｍに亘り存在している。
2007531215.tif 000002
【特許請求の範囲】
【請求項１】
口金付高圧放電ランプ（１）及びランプホルダ（５０）の組立体であって、
この口金付高圧放電ランプは外側エンベロープ（１０）を有し、この外側エンベロープ（１０）内では、放電容器（１１）が長手方向軸線（２２）の周囲に配置されており、
この放電容器（１１）は、イオン化可能な充填剤を有する放電空間（１３）を気密に包囲しており、
この放電容器（１１）は、第１接続部（２）及びそれに対向する第２接続部（３）を有し、これら第１及び第２接続部を通じて、第１及び第２電流供給導体（４，５）がそれぞれ前記放電空間（１３）に配置された一対の電極（６，７）まで延在しており、
前記外側エンベロープ（１０）は、前記第１及び第２電流供給導体（４，５）により前記放電容器（１１）を支持するピンチ部（２０）を有しており、
このピンチ部（２０）には、当該ピンチ部（２０）をクランプ装着して包囲するクランプ部材（２５）が設けられており、
また、この口金付高圧放電ランプは、ランプ口金（３０）を有し、この口金は、絶縁材料の基部（３２）と、前記クランプ部材（２５）を収容するほぼ円筒状のカップ状部分（３３）とを具えており、
このカップ状部分（３３）には突出カラー（３６）が設けられており、
前記基部（３２）には、前記カップ状部分（３３）を越えて突出する第１及び第２接点部材（３４，３５）が設けられており、これら第１及び第２接点部材（３４，３５）にはそれぞれ前記第１及び第２電流供給導体（４，５）が電気接続されており、
また、前記ランプホルダ（５０）は、口金付高圧放電ランプ（１）のカップ状部分（３３）を収容するほぼ円筒状のフランジ（５５）と、当該ランプホルダの基部（５００）とを有し、
このランプホルダの基部（５００）には、第１接続手段（７４）及び第２接続手段（７５）が設けられている口金付高圧放電ランプ（１）及びランプホルダ（５０）の組立体において、
前記ランプホルダ（５０）のフランジ（５５）は、前記口金付高圧放電ランプ（１）の前記カップ状部分（３３）を収容して、それによりこのフランジ（５５）が、カップ状部分の突出カラー（３６）と係合すると共に、前記第１及び第２接点部材（３４，３５）がそれぞれ前記第１及び第２接続手段（７４，７５）と電気的に接触しており、
前記フランジ（５５）の内径の公差が−０．２ｍｍ以下であり、
前記カップ状部分（３３）の外径の公差が＋０．２ｍｍ以下であり、
これら公差のそれぞれが、長手方向軸線（２２）に沿って前記突出カラー（３６）に対して測定した場合に、少なくとも２．５ｍｍに亘って存在している組立体。
【請求項２】
請求項１に記載の組立体において、
フランジ（５５）の内径の公差が−０．１０ｍｍ以下であり、前記カップ状部分（３３）の外径の公差が＋０．０５ｍｍ以下であり、これら公差のそれぞれが、長手方向軸線（２２）に沿って前記突出カラー（３６）に対して測定した場合に、少なくとも５ｍｍに亘って存在していることを特徴とする組立体。
【請求項３】
請求項１又は２に記載の組立体において、
前記クランプ部材には、当該クランプ部材（２５）を前記カップ状部分（３３）に取り付けるためのほぼ円筒状の係合部（２６）が設けられていることを特徴とする組立体。
【請求項４】
請求項１又は２に記載の組立体において、
ランプ口金（３０）のカップ状部分（３３）と、ランプホルダ（５０）のフランジ（５５）とが金属から形成されていることを特徴とする組立体。
【請求項５】
請求項１又は２に記載の組立体において、
絶縁材料の円筒状本体（６０）は、前記ランプホルダ（５０）の基部（５００）にクリアランスをもって配置されており、前記円筒状本体（６０）と前記ランプホルダのフランジ（５５）との間には弾性手段（６５０）が設けられており、このフランジ（５５）に前記カップ状部分（３３）が収容されると、前記円筒状本体（６０）が弾性圧力のもとに前記フランジ（５５）と係合するようになっていることを特徴とする組立体。
【請求項６】
請求項５に記載の組立体において、
前記円筒状本体（６０）は、第１円筒状部分（６１）と、この第１円筒状部分（６１）の前記口金付高圧放電ランプ（１）の側と反対側にある当該第１円筒状部分（６１）に隣接する第２円筒状部分（６２）とを有し、
この第１円筒状部分（６１）には、第１及び第２アーク状スロット（６４，６５）が設けられており、
これら第１及び第２アーク状スロット（６４，６５）の一方の端部には円形幅広部（６６，６７）が設けられており、この円形広幅部は、前記ランプホルダ（５０）のフランジ（５５）に前記口金付高圧放電ランプ(１)のカップ状部分（３３）を収容させたときに、前記第１及び第２接点部材（３４，３５）を通過するようになっており、
前記アーク状スロット（６４，６５）内でこれら第１及び第２接点部材（３４，３５）を回転させると、前記基部（３２）の第１及び第２接点部材（３４，３５）が、前記第１及び第２接続手段（７４，７５）と電気的に接触するようになっており、
これら第１及び第２接続手段（７４，７５）が、前記第２円筒状部分（６２）に設けられていることを特徴とする組立体。
【請求項７】
請求項６に記載の組立体において、
前記第１及び第２円筒状部分（６１，６２）がセラミックス材料から形成されていることを特徴とする組立体。
【請求項８】
請求項６に記載の組立体において、
前記円筒状本体（６０）には、前記第１及び第２円筒状部分（６１，６２）が長手方向軸線（２２）を中心として互いに回転するのを妨げる防止手段が設けられていることを特徴とする組立体。
【請求項９】
請求項６に記載の組立体において、
前記第１及び前記第２円筒状部分（６１，６２）が、保持ばね（６８，６９）又はリベットにより互いに取り付けられていることを特徴とする組立体。
【請求項１０】
請求項６に記載の組立体において、
前記第１及び第２接点部材（３４，３５）には、シャンク（８２，８３）が設けられており、
前記シャンク（８２，８３）の、カップ状部分（３３）の側と反対側にディスク（８４，８５）が設けられており、
前記ディスク（８４，８５）の寸法は、前記アーク状スロット（６４，６５）の円形拡張部（６６，６７）を通過しうる寸法であり、
前記シャンク（８２，８３）の寸法は、前記第１及び第２アーク状スロット（６４，６５）を通過しうる寸法より小さいことを特徴とする組立体。
【請求項１１】
請求項６に記載の組立体において、
前記ランプ口金（３０）の前記基部（３２）には突出部が設けられており、この突出部が、前記円筒状本体の第１円筒状部分（６１）の相補くぼみ部分と協働していることを特徴とする組立体。
【請求項１２】
請求項１又は２に記載の組立体に使用する口金付高圧放電ランプであって、
この口金付高圧放電ランプは、外側エンベロープ（１０）を有し、この外側エンベロープ内では放電容器（１１）が長手方向軸線（２２）の周囲に配置されており、
この放電容器（１１）は、イオン化可能な充填剤を有する放電空間（１３）を気密に包囲しており、
この放電容器（１１）は、第１接続部（２）及びそれに対向する第２接続部（３）を有し、これら第１及び第２接続部を通じて、第１及び第２電流供給導体（４，５）がそれぞれ、前記放電空間（１３）に配置された一対の電極（６，７）まで延在しており、
前記外側エンベロープ（１０）は、前記第１及び第２電流供給導体（４，５）により前記放電容器（１１）を支持するピンチ部（２０）を有しており、
このピンチ部（２０）には、当該ピンチ部（２０）をクランプ装着により包囲するクランプ部材（２５）が設けられており、
また、この口金付高圧放電ランプはランプ口金（３０）を有し、このランプ口金は、絶縁材料の基部（３２）と、前記クランプ部材（２５）を収容するためのほぼ円筒状のカップ状部分（３３）とを具えており、
前記カップ状部分（３３）には突出カラー（３６）が設けられており、
前記基部（３２）には、前記カップ状部分（３３）を越えて突出する第１及び第２接点部材（３４、３５）が設けられており、これら第１及び第２接点部材（３４、３５）にはそれぞれ第１及び第２電流供給導体（４，５）が電気的に接続されており、
前記カップ状部分（３３）の外径の公差が＋０．２ｍｍ以下である口金付高圧放電ランプ。
【請求項１３】
請求項１又は２に記載の組立体に用いるランプホルダ（５０）であって、
このランプホルダ（５０）は、前記口金付高圧放電ランプ（１）のカップ状部分（３３）を収容するためのほぼ円筒状のフランジ（５５）と、当該ランプホルダの基部（５００）とを有し、
このランプホルダの基部（５００）には、第１接続手段（７４）及び第２接続手段（７５）が設けられており、
前記フランジ（５５）の内径の公差が−０．２ｍｍ以下であるランプホルダ。
【発明の詳細な説明】
【技術分野】
【０００１】
本発明は、口金付高圧放電ランプ及びランプホルダの組立体に関するものである。
本発明は、このような組立体のための口金付高圧放電ランプに関するものでもある。
本発明は更に、このような組立体のためのランプホルダにも関するものである。
【０００２】
高圧放電ランプは、高い色温度と、高い演色評価数と、高輝度とを有しうるものである。これらのランプは、リフレクタと組み合わせてビームを形成するコンパクトな光源が必要とされる用途、例えば、道路照明や、スタジオ又は投影用途や、店舗や工場における業務用屋内照明や、街の美化用途に極めて適している。
【０００３】
頭書に記載した種類の高圧放電ランプは、セラミック壁部を有する放電容器又は石英ガラスの放電容器を有する。このような高圧放電ランプは、実際上は広く利用されており、高い発光効率と相俟って好ましい色特性を有する。ランプの放電容器には、水銀及び希ガスの充填剤に加えて１種又は複数種の金属又はハロゲン化金属が封入されている。
【０００４】
本明細書及び特許請求の範囲に記載したセラミック壁部は、単結晶金属酸化物（例えばサファイヤ）、高密度焼結多結晶金属酸化物（例えば酸化アルミニウムやＹＡＧ）及び高密度焼結多結晶金属窒化物（例えば窒化アルミニウム）といった材料のうちの一種から形成される壁部であると理解されたい。
【０００５】
口金付高圧放電ランプ及びこのような放電ランプ用のランプホルダは、欧州特許出願公開第０４７８０７８号明細書から既知である。この口金付高圧放電ランプは、絶縁材料のランプ口金を有し、このランプ口金には、中央に配置された接点部材と、当該ランプ口金と同心にある金属スリーブとが設けられている。この金属スリーブには放電容器の一方の端部が装着されており、この金属スリーブに対して電流供給導体が取り付けられている。このランプ口金の外形は回転対称形となっているため、高圧放電ランプを回転させながらランプホルダ内に挿入することができる。
【０００６】
この既知の口金付高圧放電ランプ及びランプホルダの組立体の不利な点は、はめ合方式を採用していることにある。このはめ合い方式では、ランプホルダ内での口金付高圧放電ランプの位置が比較的不正確になってしまう。このことは、光放電の中心が充分な精度で分からないことを意味する。
【０００７】
本発明は、上述した不利をある程度又は完全に解消することを目的とする。この目的は、口金付高圧放電ランプ及びランプホルダの組立体であって、この口金付高圧放電ランプは外側エンベロープを有し、この外側エンベロープ内では、放電容器が長手方向軸線の周囲に配置されており、この放電容器は、イオン化可能な充填剤を有する放電空間を気密に包囲しており、この放電容器は、第１接続部及びそれに対向する第２接続部を有し、これら接続部を通じて、第１及び第２電流供給導体がそれぞれ前記放電空間に配置された一対の電極まで延在しており、前記外側エンベロープは、第１及び第２電流供給導体により前記放電容器を支持するピンチ部を有しており、このピンチ部には、当該ピンチ部をクランプ装着して包囲するクランプ部材が設けられており、また、この口金付高圧放電ランプは、ランプ口金を有し、この口金は、絶縁材料の基部と、前記クランプ部材を収容するほぼ円筒状のカップ状部分とを具えており、このカップ状部分には突出カラーが設けられており、前記基部には、前記カップ状部分を越えて突出する第１及び第２接点部材が設けられており、これら第１及び第２接点部材にはそれぞれ第１及び第２電流供給導体が電気的に接続されており、また、前記ランプホルダは、口金付高圧放電ランプのカップ状部分を収容するほぼ円筒状のフランジと当該ランプホルダの基部とを有し、このランプホルダの基部には、第１接続手段及び第２接続手段が設けられている口金付高圧放電ランプ及びランプホルダの組立体において、前記ランプホルダのフランジは、前記口金付高圧放電ランプの前記カップ状部分を収容して、それによりこのフランジが、カップ状部分の突出カラーと係合すると共に、前記第１及び第２接点部材がそれぞれ前記第１及び第２接続手段と電気的に接触しており、前記フランジの内径の公差が−０．２ｍｍ以下であり、前記カップ状部分の外径の公差が＋０．２ｍｍ以下であり、これら公差のそれぞれが、長手方向軸線に沿って前記突出カラーに対して測定した場合に、少なくとも２．５ｍｍに亘って存在している組立体により達成される。
【０００８】
ランプホルダのフランジ及びカップ状部分のそれぞれの直径に対する公差を比較的小さく規定することにより、このフランジ内にカップ状部分を比較的高い精度で位置決めすることができる。このようにして、口金付高圧放電ランプの放電容器を比較的高い精度でランプホルダ内に位置決めすることができる。放電の光中心が、長手方向軸線に対して比較的高い精度で配置される。更に、長手方向軸線に対する放電の光中心位置、すなわちランプホルダの基準（点）に対する放電の光中心距離を比較的高い精度で決定することができる。この距離は、放電の「光中心長さ」とも称される。本発明による組立体を用いることにより、口金付高圧放電ランプの放電容器において放電により放出される光の光中心長さが比較的良好に規定される。ランプホルダに対して高圧放電ランプがこのように正確に位置決めされることは、高圧放電ランプ及びランプホルダの組立体をリフレクタに装着する場合に有利である。これは、特に、リフレクタから放出されるビーム（パターン）を良好に規定する必要がある場合、例えば自動車が対向して走っている路上においてドライバに対して眩しさを与えないようにする必要がある場合などにあてはまる。加えて、市場では、ランプ及びランプホルダの寸法を低減させようという傾向がある。この傾向により、ランプホルダに（放電）ランプを正確に位置決めする必要が増すことになる。
【０００９】
口金付高圧放電ランプのカップ状部分がランプホルダのフランジに収容されると、このフランジがカップ状部分の突出カラーに係合する。このカップ状部分とフランジとの係合関係により、ランプホルダに対する放電容器の高さが決定される。このようにして、長手方向軸線に沿っての光中心長さが正確に決定される。長手方向軸線に対して垂直な面における放電の光中心位置は、ランプホルダのフランジ及びカップ状部分のそれぞれの直径の公差により決定される。これらそれぞれの直径の公差に関する要求を高くする程、放電の光中心位置が長手方向軸線に対して良好に位置決めされることになる。
【００１０】
既知の組立体において、絶縁材料のランプ口金は、ランプ容器の第１接続部分に固定されており、またこのランプ口金には第１中心接点部材が設けられている。このランプ口金は、ランプ容器の第１接続部分の周囲にほぼ回転対称形の金属スリーブを有する。このスリーブは、前記第１接点部材とほぼ同心になっており、第１接続部分はこのスリーブ内に固定されている。この金属スリーブは、円周溝の形態の連続的な円形レリーフを有し、ランプホルダの保持手段又はランプホルダのクランプ端子をこれに係合させて電気的接触を形成することができる。既知の組立体では、ランプホルダにおける口金付高圧放電ランプの位置はやや不正確になる。既知のランプホルダでは口金付高圧放電ランプが簡単に動いてしまうおそれがあり、それにより、長手方向軸線及びランプホルダに対する放電の光中心位置がより不正確になる。
【００１１】
本発明による組立体において、ランプホルダの基部は、はめ合方式の基準面となる。一方では、ランプホルダの高さに対する比較的小さい公差とフランジに対する比較的小さい公差とによって、また他方では、突出カラー及びカップ状部分の外径に対する小さい公差によって、精度が得られる。これらの双方とも製造工程における放電容器の調製時に基準として使用する。
【００１２】
好ましくは、フランジの内径の公差が−０．１０ｍｍ以下となり、カップ状部分の外径の公差が＋０．０５ｍｍ以下となり、これら公差のそれぞれが、長手方向軸線に沿って突出カラーから測定した場合に、少なくとも５ｍｍに亘って存在するようにする。ランプホルダのフランジ及びカップ状部分のそれぞれの直径に対する公差を比較的小さく規定することにより、比較的高い精度でフランジ内にカップ状部分を位置決めすることができる。このようにして、口金付高圧放電ランプの放電容器が比較的高い精度でランプホルダ内に位置決めされる。本発明の好適例による組立体を用いれば、口金付高圧放電ランプの放電容器における放電により放出される光の光中心長さが極めて正確になる。上記各直径の公差に対する要求を高くする程、放電の光中心が長手方向軸線に対して良好に位置決めされることになる。
【００１３】
ランプホルダのフランジへの口金付高圧放電ランプのカップ状部分の位置決め精度を更に向上させるために、ランプ口金のクランプ部材の装着性を改善することができる。このために、本発明の組立体の好適例では、クランプ部材に、当該クランプ部材をカップ状部分に取り付けるためのほぼ円筒状の係合部を設けることを特徴とする。この係合部により、カップ状部分へのクランプ部材の取り付けが補強する。更に、この係合部は、例えばスポット溶接により、クランプ部材及びカップ状部分間の連結を強固なものとするのに用いることができる。
【００１４】
本発明の組立体の好適例は、ランプ口金のカップ状部分と、ランプホルダのフランジとを金属から形成することを特徴とする。金属を用いることにより、フランジの内径及びカップ状部分の外径の公差が比較的小さくなる。更に、放電ランプが比較的高温になるという点からも、金属を使用するのが好ましい。
【００１５】
カップ状部分と、ランプホルダのフランジとが係合関係を確立しうるようにすると共に、ランプホルダの基部において第１及び第２接点部材と第１及び第２接続手段とが電気的に接触しうるように、ランプホルダの基部を特別な態様で構成する。このために、本発明による組立体の好適例では、ランプホルダの基部にクリアランスをもって絶縁材料の円筒状本体を配置し、この円筒状本体とランプホルダのフランジとの間に弾性手段を設け、フランジがカップ状部分を収容する際に、この円筒状本体が弾性圧力をもってフランジと係合するようにすることを特徴とする。ランプホルダのフランジがカップ状部分と分離していれば、この円筒状本体は、ランプホルダの基部において比較的自由に動く。フランジがカップ状部分を収容すると、この円筒状本体の位置がほぼ固定される。カップ状部分をランプホルダのフランジに挿入すると、円筒状本体が放電ランプの方向に引かれ、それにより、円筒状本体とランプホルダのフランジとの間の弾性手段に圧力が加わる。このように、ランプホルダに対する放電ランプの高さは、カップ状部分とランプホルダのフランジと間の係合関係によってのみ決定される。このようにして、長手方向軸線に沿っての光中心長さが正確に決定される。
【００１６】
構造上の観点から、円筒状本体は、２つの隣接する部分から形成するのが好ましい。一方の部分は、カップ状部分をランプホルダのフランジに挿入すると、円筒状本体が放電ランプの方向に引かれるように作用するので、これに対して、他方の部分は電気接続導線を有するものである。このために、本発明による組立体の好適例は、前記円筒状本体は、第１円筒状部分と、この第１円筒状部分の前記口金付高圧放電ランプの側と反対側にある当該第１円筒状部分に隣接する第２円筒状部分とを有し、この第１円筒状部分には、第１及び第２アーク状スロットが設けられており、これら第１及び第２アーク状スロットの一方の端部には円形幅広部が設けられており、この円形広幅部は、前記ランプホルダのフランジに前記口金付高圧放電ランプのカップ状部分を収容させたときに、前記第１及び第２接点部材を通過するようになっており、前記アーク状スロット内でこれら第１及び第２接点部材を回転させると、前記基部の第１及び第２接点部材が、前記第１及び第２接続手段と電気的に接触するようになっており、これら第１及び第２接続手段が、前記第２円筒状部分に設けられていることを特徴とする。一方の端部に円形幅広部が設けられたアーク状スロットにより、いわゆる捻りロック機構に基づいた接点部材の挿入ができるようになる。第１及び第２の接点部材は、ランプホルダのフランジが口金付高圧放電ランプのカップ状部分を収容すると、第１及び第２アーク状スロットの円形幅広部に挿入される。
【００１７】
次のステップとして、口金の基部にある第１及び第２接点部材が、円筒状本体の第２円筒状部分にある第１及び第２接続手段と電気的（及び機械的）に接触するまで、カップ状部分を捻る。アーク状スロットにおいて第１及び第２の接点部材が回転することにより、円筒状本体の第１円筒状部分が放電ランプの方向に移動する。この動きにより、第１円筒状本体とランプホルダのフランジとの間の弾性手段に圧力が加わる。このように、ランプホルダに対する放電ランプの高さは、カップ状部分とランプホルダのフランジとの間の係合関係によってのみ決定される。このようにして、長手方向軸線に沿っての光中心長さが正確に決定される。
【００１８】
本発明による組立体の好適例は、第１及び第２円筒状部分をセラミック材料から形成することを特徴とする。放電ランプは比較的高温になるため、酸化アルミニウムのようなセラミック材料を用いるのが好ましい。
【００１９】
本発明による組立体の他の好適例では、円筒状本体に、第１及び第２円筒状部分が長手方向軸線を中心として互いに回転するのを妨げる防止手段を設ける。このために、これら第１及び第２の円筒状部分に、適切な突出及びくぼみ部分を設ける。このようにして、これら第１及び第２円筒状部分が長手方向軸線を中心として互いに回転するのを制限する。これら第１及び第２円筒状部分は、保持ばね又はリベットにより互いに取り付けるのが好ましい。保持ばねによれば、ランプホルダの基部内で、円筒状本体の第１及び第２円筒状部分が、特に長手方向軸線に沿って多少動くおそれがある。これら第１及び第２円筒状部分は、相互に固定して互いに移動するのを防止するのが好ましい。
【００２０】
本発明による組立体の更に他の好適例は、第１及び第２接点部材にシャンクを設け、シャンクのカップ状部分の側と反対側にディスクを設け、ディスクの寸法は、第１及び第２アーク状スロットの円形幅広部を通過しうるものとすると共に、シャンクの寸法は、第１及び第２アーク状スロットを通過する寸法よりも更に小さいものとすることを特徴とする。第１及び第２接点部材のシャンク及びディスクは、一方の端部に円形幅広部を設けたアーク状スロットと捻りロック機構により協働する。
【００２１】
本発明による組立体の更に別の好適例は、ランプ口金の基部に突出部を設け、この突出部が、円筒状本体の第１円筒状部分の相補くぼみ部分と協働するようにしたことを特徴とする。ランプ口金の基部の突出部と円筒状本体の第１円筒状部分のくぼみ部分との間を協働させることは、例えば、放電ランプがランプホルダに常に所定の方向で挿入されるようにするのに便利である。原則として、放電ランプはランプホルダに対して２つの方向を取り得る。一方の方位においては、放電容器の第１電極が、（第１電流供給導体及び第１接触手段を介して）ランプホルダの第１接続手段に接続されるようになり、他方の方位においては、放電容器の第１電極が、（この場合も第１電流供給導体及び第１接触手段を介して）ランプホルダの第２接続手段に接続されるようになる。放電容器内の放電の点弧が、常にある電極、例えば外側エンベロープのピンチ部に最も近い電極で開始されるようにするのが好ましい場合がある。その場合、ランプホルダのフランジが口金付高圧放電ランプのカップ状部分を収容した際に、放電容器の方向が決定されるようにする。
【００２２】
本発明を、複数の実施例及び図面を参照してより詳細に説明する。図面は、純粋に線図的なものであり実際の寸法に比例して描いてない。ある寸法は、明確化のために誇張してある。図面を通じて、同様の構成部材にはできる限り同一の参照符号を付してある。
【００２３】
図１は、口金付高圧放電ランプ１及びランプホルダ５０の組立体の例を示す線図的斜視図である。この口金付高圧放電ランプ１は、外側エンベロープ１０を有し、このエンベロープ１０内では長手方向軸線２２の周囲に放電容器１１が配置されている。この放電容器１１は、水銀、ハロゲン化金属若しくは金属及び希ガスを含むイオン化可能な充填剤を有する放電空間１３を気密に包囲している。図１の実施例において、この放電容器１１は第１接続部２及びこれに対向する第２接続部３を有し、これら接続部を通じてそれぞれ第１及び第２電流供給導体４及び５が、放電空間１３に配置された一対の電極６及び７まで延在している。これら接続部２及び３は、いわゆるネック状部分とするのが好ましい。他の例では、放電容器をその全長に亘り円筒状に成形する。図１の実施例において、外側エンベロープ１０はピンチ部２０を有する。このピンチ部２０は、第１及び第２電流供給導体４及び５により放電容器１１を支持している。図１の実施例においては、このピンチ部２０に設けられた第１接続導体１４が第２電流供給導体４に接続されている。また、ピンチ部２０に設けられた第２接続導体１５は、放電容器に沿って延在し第２電流供給導体５に接続されている。外側エンベロープ１０のピンチ部２０には、クランプ部材２５が設けられており、このクランプ部材２５がクランプ装着によりピンチ部２０を包囲してクランプ装着されている。更に、図１には、口金付高圧放電ランプ１を収容するためのほぼ円形円筒状のフランジ５５を有するランプホルダ５０が示されている。このランプホルダ５０には、この組立体を装着するための底部５９が設けられている。
【００２４】
この底部５９は、本発明によるはめ合方式のための基準面となる。一つには、ランプホルダ５０の高さに対する比較的小さい公差とフランジ５５に対する比較的小さい公差とによって、また一つには、製造工程中の放電容器の調整時に基準として用いられるカップ状部３３及び突出カラー３６の外径に対する小さい公差によって、精度が得られる。
【００２５】
図２は、口金付高圧放電ランプ１及びランプホルダ５０の組立体の例を示す分解斜視図である。明確化のために、図２では、組立体の種々の構成素子を互いに所定の距離を取って示してある。また、図２において放電容器１１は省略してある。図２に示すランプ口金３０は、絶縁材料の基部３２と、クランプ部材２５を収容するためのほぼ円筒状のカップ状部分３３とを有する。この基部３２には、カップ状部分３３を越えて突出する第１接点部材３４及び第２接点部材３５が設けられている（図４も参照されたい）。口金付高圧放電ランプ１及びランプホルダ５０を組立てた状態では、これら第１及び第２接点部材３４及び３５のそれぞれに対して第１及び第２の電流供給導電体４及び５が電気的に接続されている。カップ状部分３３には、ランプホルダ５０のフランジ５５と係合する突出カラー３６が設けられている。
【００２６】
図２において、ランプホルダ５０は、口金付高圧放電ランプ１のカップ状部分３３を収容するためのほぼ円筒状のフランジ５５と、ランプホルダの基部５００とを有する。この基部６０には更に、第１接続手段７４及び第２接続手段７５が設けられている。
【００２７】
口金付高圧放電ランプ１及びランプホルダ５０を組立てた状態では、ランプホルダ５０のフランジ５５が、口金付高圧放電ランプ１のカップ状部分３３を収容して、このフランジ５５がカップ状部３３の突出カラー３６と係合するようになっている。更に、このフランジ５５がカップ状部分３３を収容すると、第１及び第２接点部材３４及び３５がそれぞれ第１及び第２接続手段７４及び７５と電気的に接触する。
【００２８】
口金付高圧放電ランプ１の放電容器１１を比較的高い精度でランプホルダ５０内に位置決めするために、フランジ５５の内径が−０．２ｍｍ以下の公差となり、カップ状部分３３の外径が＋０．２ｍｍ以下の公差となるようにする。これらの各公差は、長手方向軸線２２に沿って突出カラー３６から放電容器１１を離れる方向に測定した場合に、少なくとも２．５ｍｍ以上の長さに亘り存在するようにする。
【００２９】
口金付高圧放電ランプ１のカップ状部分３３をフランジ５５に収容すると、このカップ状部分３３の突出カラー３６にランプホルダ５０のフランジ５５が係合する。このカップ状部分３３とフランジ５５との係合関係により、ランプホルダ５０に対する放電容器１１の高さが決定される。このようにして、長手方向軸線２２に沿った光中心距離が正確に測定される。長手方向軸線に対して垂直な面における光放電の中心位置は、ランプホルダ５０のフランジ５５の直径の公差と、口金付高圧放電ランプ１のカップ状部分３３の公差とにより決定される。これら各直径の公差に関する要求を高くする程、長手方向軸線２２に対して光放電中心がより良好に位置決めされる。
【００３０】
好ましくは、フランジ５５の内径が−０．１０ｍｍ以下の公差となり、カップ状部分３３の外径が＋０．０５ｍｍ以下の公差となるようにし、これら各公差が、長手方向軸線２２に沿って突出カラー３６から測定した場合に少なくとも５ｍｍの長さに亘り存在するようにする。ランプホルダ５０のフランジ５５及びカップ状部分３３の各直径に対する公差を比較的小さく設定することにより、フランジ５５内にカップ状部分３３を比較的高い精度で位置決めすることができる。このようにして、口金付高圧放電ランプ１の放電容器１１をランプホルダ５０に比較的高い精度で位置決めすることができる。
【００３１】
ランプホルダ５０のフランジ５５への口金付高圧放電ランプ１のカップ状部分３３の位置決め精度を向上させるために、ランプ口金３０のクランプ部材２５の装着性を改善することができる。このために、クランプ部材２５に、当該クランプ部材２５をカップ状部分３３に固定するためのほぼ円筒状の係合部２６を設ける。この係合部２６により、カップ状部分３３へのクランプ部材２５の取り付けが改善される。更に、この係合部２６は、例えばスポット溶接により、クランプ部材２５及びカップ状部分３３間の連結を強固なものとするのに用いることができる。
【００３２】
ランプ口金３０のカップ状部分３３をランプホルダ５０に比較的高い精度で装着する要求を満足するためには、これらカップ状部分３３及びランプホルダ５０のフランジ５５を、金属から形成するのが好ましい。好適な金属はステンレス網である。
【００３３】
図２において、絶縁材料の円筒状本体６０は、ランプホルダ５０の基部５００にクリアランスをもって配置されており、この円筒状本体６０とランプホルダ５０のフランジ５５との間には弾性手段６５０が設けられている。カップ状部分３３がフランジ５５に収容されたときに、円筒状本体６０が弾性圧力のもとにフランジ５５と係合する。このために、フランジ５５の直径は、ランプホルダの基部５００の直径より小さくなるよう選択する。更に、円筒状本体６０は、第１円筒状部分６１のこの第１円筒状部分６１の口金付高圧放電ランプ１の側と反対側にある当該第１円筒状部分６１に隣接する第２円筒状部分６２とを有する。更に、第１及び第２接続手段７４及び７５に対しては、基部３２の第１及び第２接点部材３４及び３５が電気的に接触する。
【００３４】
円筒状本体６０には、これら第１及び第２円筒状部分６１及び６２が長手方向軸線２２を中心として互いに回転するのを妨げる防止手段を設けるのが好ましい。第１及び第２円筒状部分６１及び６２は、保持ばね６８及び６９により互いに取り付けるのが好ましい。他の例では、リベットにより、第１及び第２円筒状部分６１及び６２を互いに取り付ける。これら第１及び第２円筒状部分６１及び６２は、これら円筒状部分６１及び６２間が動き得ないように互いに取り付けるのが好ましい。
【００３５】
ランプ口金３０の基部３２には突起部を設け、この突起部が円筒状本体の第１円筒状部分６１の相補くぼみ部分と協働するようにするのが好ましい。
【００３６】
図３は、円筒状本体６０の第１円筒状部分６１を長手方向軸線２２に対して垂直な面で示す線図である。第１及び第２円筒状部分６１及び６２は、セラミックス材料から形成するのが好ましい。好適なセラミック材料は、酸化アルミニウムや、Ｍｇ、Ｃａ又は希土類金属のような好適な添加剤を加えた酸化アルミニウムである。セラミックス材料は、放電ランプにおける比較的高い温度に耐えうるので極めて好適である。この第１円筒状部分６１には、第１及び第２アーク状スロット６４及び６５が設けられている。これら第１及び第２アーク状スロット６４及び６５の一方の端部には、円形幅広部６６及び６７がそれぞれ設けられており、これら円形幅広部６６及び６７は、口金付高圧放電ランプ１のカップ状部分３３をランプホルダ５０のフランジ５５に挿入した際に（図２も参照）、この口金付高圧放電ランプ２の第１及び第２接点部材３４及び３５を通過させるようになっている。次のステップとして、この口金付高圧放電ランプ１を図３の矢印で示される方向に回転させ、この口金付高圧放電ランプ１の第１及び第２接点部材３４及び３５を、第２円筒状部分６２に設けられた第１及び第２接続手段７４及び７５に接触させる。これら第１及び第２接点部材３４及び３５をアーク状スロット６４及び６５内で回転させると、円筒状本体６０の第１円筒状部分６１が放電容器１１の方向に動く。この動きにより、この第１円筒状本体６１とランプホルダ５０のフランジ５５との間の弾性手段６５０に圧力が加わる。このように、ランプホルダ５０に対する放電容器１１の高さは、カップ状部分３３とランプホルダ５０のフランジ５５との間の係合関係によってのみ決定される。このようにして、長手方向軸線２２に沿った光中心距離が正確に測定される。
【００３７】
図４は、ランプホルダ５０及びランプ口金３０の線図的断面図であり、このランプ口金３０は、突出カラー３６を設けたほぼ円筒状のカップ状部分３３と、第１及び第２接点部材３４及び３５を設けた基部３２とを有する。第１及び第２接点部材３４及び３５には、それぞれシャンク８２及び８３が設けられている。各シャンク８２及び８３における、カップ状部分３３の側と反対側にはディスク８４及び８５が設けられている。これらディスク８４及び８５の寸法は、第１円筒状部分６１の第１及び第２アーク状スロット６４及び６５の円形幅広部６６及び６７を通過しうるものである（明確化のため図４には第１及び第２円筒状部分６１及び６２を図示していない）。シャンク８２及び８３の寸法は、第１円筒状部分６１の第１及び第２アーク状スロット６４及び６５を通過しうる寸法より小さいものとする（図３参照）。
【００３８】
図４は、ランプ口金３０の基部３２に装着されたクランプ部材２５も示している。このクランプ部材２５には、当該クランプ部材２５をカップ状部分３３に固定するためのほぼ円筒状の係合部２６が設けられている。
【００３９】
図４は、フランジ５５を有するランプホルダ５０も示している。図４の例においては、ランプホルダ５０のフランジ５５が、口金付高圧放電ランプ１のカップ状部分３３を収容している。フランジ５５は、カップ状部分３３の突出カラー３６と係合している。組立体の極めて有利な例では、フランジ５５の内径を−０．０５ｍｍ以下の公差とし、カップ状部分３３の外径を＋０．１ｍｍ以下の公差とし、これら公差のそれぞれが、長手方向軸線２２に沿って突出カラー３６に対して測定した場合に約１０ｍｍの長さに亘って存在するようにする。ランプホルダ５０には、この組立体を装着するための底部５９が設けられている。
【００４０】
第２円筒状部分６１には、第１及び第２接点部材３４及び３５と係合するくぼみ面を設けるのが好ましい。アーク状スロット６４及び６５内で第１及び第２接点部材３４及び３５を回転させる間、くぼみ表面に沿ってディスク８４及び８５が移動し、ランプホルダ５０のフランジ５５にキャップ付高圧放電ランプのカップ状部分３３を強固にグリップさせための力を充分に増大させることができる。第１及び第２接点部材３４及び３５と協働するこのくぼみ表面により、カップ状部分３３の突出カラー３６とランプホルダ５０のフランジ５５との基準係合が確立される。
【００４１】
上述した実施例は、本発明を説明するためのものであり本発明を限定するものでなく、当業者は特許請求の範囲に記載された本発明の範囲を逸脱することなく多くの代替的実施例を設計することができる。特許請求の範囲において、括弧内に記載されたいかなる参照符号も請求項に係る発明を限定するものとして解釈されるものではない。本発明は、複数の個別の素子を有するハードウェアによっても、適切に設計された単一素子のハードウェアによっても実施することができる。いくつかの手段を列挙する装置の発明においては、これら複数の手段は、一つの同じハードウェアにより実現することができる。ある手段が互いに異なる従属請求項に記載されていることは、これら手段を組み合わせて利点が得られないことを意味するものではない。
【図面の簡単な説明】
【００４２】
【図１】図１は、口金付高圧放電ランプ１及びランプホルダ５０の組立体の例を示す線図的斜視図である。
【図２】図２は、口金付高圧放電ランプ１及びランプホルダ５０の組立体の例を示す分解斜視図である。
【図３】図３は、長手方向軸線に対して垂直な面における基部の第１円筒状部分を示す線図である。
【図４】図４は、第１及び第２接点部材を設けた基部及びカップ状部分を有するランプ口金及びランプホルダを示す線図的断面図である。
【図１】
2007531215.tif 000003
【図２】
2007531215.tif 000004
【図３】
2007531215.tif 000005
【図４】
2007531215.tif 000006
【国際調査報告】
2007531215.tif 000007
2007531215.tif 000008
2007531215.tif 000009